Podtech/llm-jp-corpus-v4-ja_patent huggingface dataset:
(57)【要約】      （修正有）【課題】シワには表情ジワと加齢によるシワがあるが、そのどちらにも働きかけて、シワがなかなか取れなかった人にも自分でシワを解消することができ、家で簡単に、肌に負担なく短期間に効果を出すシワ取りテープの提供。【解決手段】ヒアルロン酸、コラーゲン、およびエラスチンによる保湿成分を通気性のあるテープを採用することで、シワ部分に直接テープを貼っても肌に負担がかからず、該保湿成分により皮膚内部の水分も満たされて、表皮にできた窪みを押し上げてシワが解消できる。【選択図】なし【特許請求の範囲】
【請求項１】
粘着テープにヒアルロン酸、コラーゲン、エラスチンの保湿成分を含ませ顔のシワ部分に貼り付ける。シワをテープで伸ばして、一定時間テープを貼ることで、表皮をシワのない状態にする。そして、表皮からヒアルロン酸、コラーゲン、エラスチンが角質層に浸透することにより、皮膚の内部の組織を水分で満たして、表皮を押し上げることで、表皮にできた溝（シワ）を元のシワのない状態に戻す。
粘着テープにヒアルロン酸、コラーゲン、エラスチンの保湿成分を含ませて顔のシワ部分に貼り付け、シワをのばして表皮をシワのない状態にするシワ取りテープ
【発明の詳細な説明】
【技術分野】
【０００１】本発明は人間の表皮にシワが出来る要因を踏まえて、その要因を解消するために、簡単にかつ物理的に伸ばすことにより、シワの形成を抑制してシワを改善し又はシワをなくすことの出来るシワ取りテープ。
【発明が解決しようとする課題】
シワには表情ジワと加齢によるシワがあるが、そのどちらにも簡単な方法で働きかけ、肌に負担なく短期間に効果を出すという点。
【背景技術】
【０００２】シワは加齢や表情のくせとともに、誰しもが刻まれていく年輪のようなものであるが、そのシワを解消するために、様々な化粧品や医薬部外品が考案されている。また表情のくせによってできる表情ジワを解消するために、形成外科ではボツリヌス菌を皮膚内部に入れる、ボトックス注射も採用されている。しかし、この方法は費用が高額なだけでなく、痛みを伴い、表情がなくなるといった副作用がある場合もあり、危険を伴うことがある。【０００３】そこで、手軽に物理的な方法で、シワを解消するテープを発明した。
人間のシワには加齢と共にできる加齢ジワと、表情のくせによりできる表情ジワがある。加齢ジワを解消するには、皮膚内部の真皮層にヒアルロン酸、コラーゲンエラスチンの保湿成分（水分）が満たされた状態にして表皮を押し上げ、表皮の窪みを解消して、溝（シワ）になっている状態を元に戻す必要がある。
表情のくせによってできた表情筋の溝（シワ）を解消するためには、テープを一定時間シワ部分に貼って表皮を伸ばすことにより、表情筋の溝（シワ）を元の平な状態に戻す。粘着テープに保湿成分染み込ませ、テープをシワ部分に貼ることにより加齢ジワと表情ジワの二つのシワに同時に作用し解消するテープである。
【発明が解決するための手段】
【０００４】従来のシワ取り製品は、肌が荒れたりかぶれたりすることがあったため、通気性のいいテープと肌に優しい材質のテープの選択が重要になる。
通気性がよくまた粘着性もいいテープの開発がポイントになっている。
【０００５】ヒアルロン酸、コラーゲン、エラスチンの保湿成分をテープに付着させて、成分が変わらず肌に浸透させるための配合割合と、処方が新しい技術になっている。
【発明の効果】
ボトックス注射やヒアルロン酸注射などの外科的な治療をすることなくシワを解消する。
また、テープを用いることにより、誰でもが手軽に家でシワを解消することができるようにする。
【産業上の利用可能性】このシワ取りテープを用いることにより、家で簡単にシワを解消でき、シワがなかなか取れなかった人にも、自分でシワを解消することができる。
【図面の簡単な説明】
2012006901.tif 000002
【手続補正書】
【提出日】平成22年9月28日(2010.9.28)
【手続補正１】
【補正対象書類名】明細書
【補正対象項目名】全文
【補正方法】変更
【補正の内容】
【発明の詳細な説明】
【技術分野】
【０００１】本発明は人間の表皮にシワが出来る要因を踏まえて、その要因を解消するために、簡単にかつ物理的に伸ばすことにより、シワの形成を抑制してシワを改善し又はシワをなくすことの出来るシワ取りテープ。
【発明が解決しようとする課題】
シワには表情ジワと加齢によるシワがあるが、そのどちらにも簡単な方法で働きかけ、肌に負担なく短期間に効果を出すという点。
【背景技術】
【０００２】シワは加齢や表情のくせとともに、誰しもが刻まれていく年輪のようなものであるが、そのシワを解消するために、様々な化粧品や医薬部外品が考案されている。また表情のくせによってできる表情ジワを解消するために、形成外科ではボツリヌス菌を皮膚内部に入れる、ボトックス注射も採用されている。しかし、この方法は費用が高額なだけでなく、痛みを伴い、表情がなくなるといった副作用がある場合もあり、危険を伴うことがある。【０００３】そこで、手軽に物理的な方法で、シワを解消するテープを発明した。
人間のシワには加齢と共にできる加齢ジワと、表情のくせによりできる表情ジワがある。加齢ジワを解消するには、皮膚内部の真皮層にヒアルロン酸、コラーゲンエラスチンの保湿成分（水分）が満たされた状態にして表皮を押し上げ、表皮の窪みを解消して、溝（シワ）になっている状態を元に戻す必要がある。
表情のくせによってできた表情筋の溝（シワ）を解消するためには、テープを一定時間シワ部分に貼って表皮を伸ばすことにより、表情筋の溝（シワ）を元の平な状態に戻す。粘着テープに保湿成分染み込ませ、テープをシワ部分に貼ることにより、加齢ジワと表情ジワの二つのシワに同時に作用し解消するテープである。
【発明が解決するための手段】
【０００４】従来のシワ取り製品は、肌が荒れたりかぶれたりすることがあったため、通気性のいいテープと肌に優しい材質のテープの選択が重要になる。
通気性がよくまた粘着性もいいテープの開発がポイントになっている。
【０００５】ヒアルロン酸、コラーゲン、エラスチンの保湿成分をテープに付着させて、成分が変わらず肌に浸透させるための配合割合と、処方が新しい技術になっている。
【発明の効果】
ボトックス注射やヒアルロン酸注射などの外科的な治療をすることなくシワを解消する。
また、テープを用いることにより、誰でもが手軽に家でシワを解消することができるようにする。
【産業上の利用可能性】このシワ取りテープを用いることにより、家で簡単にシワを解消でき、シワがなかなか取れなかった人にも、自分でシワを解消することができる。
【図面の簡単な説明】
【０００６】
【図１】テープの粘着性を表す断面図である。
【図２】テープに染込ませる有効成分の保湿成分を表す断面図である。
【図３】テープの通気性を表す断面図である。
【手続補正２】
【補正対象書類名】図面
【補正対象項目名】全図
【補正方法】追加
【補正の内容】
【図１】
2012006901.tif 000003
【図２】
2012006901.tif 000004
【図３】
2012006901.tif 000005
(57)【要約】【課題】薬の袋は手で開封すると、中のくすりが飛び散ることがあり、高齢者など、指先を自由に動かすことのできない人には容易な作業ではない場合がある。        ハサミで開封した場合でも、袋の対角線を直線で切っては、切り口が上唇にあたるので、顔をかなり上向きにしなければならず、薬が喉にまで入ってしまうことがあり危険である。        本発明は、薬袋を容易に開封し、飲みやすい形状にカットする器具の提供を課題とする。【解決手段】本発明は、器具の刃型を押すことによって薬袋をカットする。刃型の刃は、山と谷の形状とし、切り口の中央に窪みをつけることにより、薬袋が、              上唇にあたりにくくし、顔をあまり上に向けなくても口の中の前側に薬を投与できるようにした。【選択図】図１
2012006641.tif 000002
【特許請求の範囲】
【請求項１】
薬袋を刃で切断することによって開封できることを特徴とする器具。
【請求項２】
切断した切り口が、山と谷の形状を作る刃を備えることを特徴とする請求項１の器具。
【発明の詳細な説明】
【技術分野】
【０００１】
本発明は、薬袋を飲みやすい形状に開封する器具に関するものである。
【先行技術文献】
【特許文献】
【０００２】
なし
【発明の概要】
【発明が解決しようとする課題】
【０００３】
処方薬の粉薬は、袋を手で開ける際に、うまく開けられずに薬が飛散してしまうことがある。
【０００４】
薬袋を、手、ハサミで開封すると切り口は直線的になってしまう、この場合、薬袋を口にあてて飲もうとすると、顔を大きく上に向ける必要がある。
【０００５】
顔を上に向けて薬を投与すると、薬が喉まで入ることがあり危険である。
【課題を解決するための手段】
【０００６】
以上の課題を解決するために、第一発明は、薬袋を刃で切断することによって開封できることを特徴とする器具である。
また、第二発明は、切断した切り口が、山と谷の形状となるような刃を備えることを特徴とする器具である。
【発明の効果】
【０００７】
第一発明によれば、薬袋を刃で切断することにより、容易に開封できる。
また、第二発明によれば、必要以上に顔を上向きにしなくても、薬を口の中に投与できる形状に薬袋を切ることができる。
よって、薬袋を、開封時に薬が飛散することを防ぎ、より安全に薬を飲むことができる。
【図面の簡単な説明】
【０００８】
【図１】本発明の実施形態を示した斜視図である。
【図２】本発明の実施形態を示した上面図である。
【図３】本発明の実施形態を示した正面図である。
【図４】本発明の実施形態を示した正面断面図である。
【図５】本発明の実施形態を示した背面図である。
【図６】本発明の実施形態を示した底面図である。
【図７】本発明の実施形態を示した側面図である。
【図８】本発明の実施形態を示した側面断面図である。
【図９】本発明によりカットされた薬袋の形状である。
【発明を実施するための形態】
【０００９】
この発明の一実施形態を、図１から図８に示す。
【実施例】
【００１０】
刃５は、山と谷をもつ形状である。
【００１１】
刃型４は、刃５を装着している。
【００１２】
刃型４は、本体１に取り付けられる。
【００１３】
薬袋挿入口６から挿入された、薬袋３は、刃型４を押し込むことにより、刃５で図９の形状にカットされる。
【００１４】
薬袋３の、薬のある部分は、薬袋挿入口６から引き出し、薬の入っていない部分は、薬袋排出口２から引き出す。
【産業上の利用可能性】
【００１５】
薬を自ら飲むことができる人では、飲み方を加減できるが、薬を与える側の人にとっては難しい場合がある。
そこで、病院、介護施設、幼稚園、保育園などでは、薬の投与に安全性と確実性が求められるため、その利用が見込まれる。
【符号の説明】
【００１６】
１    本体
２    薬袋排出口
３    薬袋
４    刃型
５    刃
６    薬袋挿入口
【図１】
2012006641.tif 000003
【図２】
2012006641.tif 000004
【図３】
2012006641.tif 000005
【図４】
2012006641.tif 000006
【図５】
2012006641.tif 000007
【図６】
2012006641.tif 000008
【図７】
2012006641.tif 000009
【図８】
2012006641.tif 000010
【図９】
2012006641.tif 000011
(57)【要約】【課題】離乳食等の食品を小分けにして冷凍する場合、数種類のメニューをまとめて作り保存しようとすると、小分けの容器は冷凍庫内の場所をとってしまう。また容器のフタも角部分も洗いにくく衛生面も保ちにくかった。食品包装用ラップでの１回分ずつの冷凍は場所もとらず衛生的であるが液体物の保存には適していなかった。本発明は食品を小分け冷凍するためのジッパー付冷凍保存用袋を使用した小分け冷凍用具を提供する。【解決手段】棒状の挟み具の平行方向中央に線状の凸状部を設け、挟み具両端部に下部に凹状の溝が入った腕を間隙をあけて設け、挟み具の中央に設けた折り目から自在に折れ曲がるように構成したことを特徴とする冷凍小分け用具。【選択図】図１
2012006654.tif 000002
【特許請求の範囲】
【請求項１】
棒状の挟み具の平行方向中央に線状の凸状部を設け、挟み具両端部に下部に凹状の溝が入った腕を間隙をあけて設け、挟み具の中央に設けた折り目から自在に折れ曲がるように構成したことを特徴とする冷凍小分け用具。
【発明の詳細な説明】
【技術分野】
【０００１】  本発明は食品を小分けにして冷凍し１回分ずつ取り出せることが出来る冷凍小分け用具に関するものである。
【技術背景】
【０００２】  従来食品を小分けにして冷凍するためには小型の容器をいくつか使用して冷凍するか、食品包装用ラップを使用して１回分ずつ包んで解凍していた。
また仕切りの付いたフタ付きの箱状の物に冷凍保存用袋をセットして箱ごと冷凍し、箱内の仕切りによって付けられた筋で折り１回分ずつ解凍していた。
【先行技術文献】
【０００３】
【特許文献１】  特許公開平１１−１３００９７  特許公開２００１−１４６２６１
【発明の概要】
【発明が解決しようとする課題】
【０００４】    離乳食等の食品を小分けにして冷凍しようとする場合、２週間程度保存が出来るため数種類のメニューをまとめて作り多めに保存することが多い。その場合小分け用の容器は冷凍庫内の場所をとってしまう。また家庭用の食器に比べて角が多くフタも付いているため洗いにくく洗い残しがあり清潔が保ちにくい。
また食品包装用ラップでの保存は場所もとらず洗い物も出ない点で優れているが液状に近いものを小分け保存するのに適していない。
また、仕切りの付いた箱状のもので小分けにする場合は使い捨ての冷凍保存用袋にて冷凍庫内に保存できて便利だが、箱が冷凍庫内または保管場所において場所をとり、細かく仕切りが付いた箱は洗いにくい。
本発明は以上の問題点を解決するためになされたものである。
【課題を解決するための手段】
【０００５】棒状の挟み具の平行方向中央に線状の凸状部を設け、挟み具両端部に下部に凹状の溝が入った腕を間隙をあけて設け、挟み具の中央に設けた折り目から自在に折れ曲がるように構成したことを特徴とする冷凍小分け用具。
【発明の効果】
【０００６】  従来問題点が多かった食品の冷凍小分けを、本発明は保管場所をとらず洗いやすく衛生的な用具で液体物の冷凍小分けも可能にするものである。
【図面の簡単な説明】
【０００７】
【図１】本発明の斜視図
【図２】本発明の使用状態を示す斜視図１
【図３】本発明の使用状態を示す斜視図２
【発明を実施するための形態】
【０００８】  以下、本発明の実施形態を説明する
（イ）ジッパー付冷凍保存用袋（１）の口に対して平行な挟み具（２）に線状の凸状部（３）を設ける。
（ロ）挟み具端（４）から下部に凹状溝（６）のある腕（５）を設ける。この２本の腕（５）は挟み具（２）の両端に観音開き状になるよう自在な動きを持たせる。
（ハ）２本の腕（５）の下部凹状溝（６）と挟み具（２）の線状の凸状部（３）によってジッパー付冷凍保存用袋（１）をはさみ合わせる。
（ニ）挟み具（２）の中央に自在に折れ曲がることが出来る折り目（７）を設ける。
（ホ）腕（５）が閉じた状態で中央に間隙（８）を設ける。
本発明は以上のような構造である。
本発明を使用するときは腕（５）を開き、挟み具（２）と両方の腕（５）の間に食品の入ったジッパー付冷凍保存用袋（１）をはさみ腕下部の凹状溝（６）と挟み具（２）の線状の凸状部（３）をはさみ合わせる事により中身の食品を区分けする。２本の冷凍小分け用具を使用する場合は、もう１本の用具もジッパー付冷凍保存用袋の縦の長さに対しておおよそ３等分になる位置に同じようにはめ合わせる。これを折り目（７）で山折りにし、図３のようにジッパー付冷凍保存用袋（１）ごと半分に折った状態で冷凍する。このジッパー付冷凍保存用袋内（１）の食品が完全に凍結した状態で袋を元の大きさに広げ腕（５）を開き、冷凍小分け用具をはずすと袋内の食品が６等分に分割される。
分割された食品はジッパー付冷凍保存用袋（１）のまま冷凍庫内に保存でき、１回分ずつ取り出して解凍することができる。家庭用の食器にて１回分ずつ解凍できるため洗いやすい。
なお、１本の小分け用具を使用することによって２等分、４等分することが出来る。２本の小分け用具を使用することによって３等分、６等分にすることが出来る。離乳食等の場合子供の成長に合わせて食品の量を変えることができるようになる。
【符号の説明】
【０００９】１ジッパー付冷凍保存用袋          ５腕
２挟み具                          ６腕下部の凹状溝
３線状の凸状部                    ７折り目
４挟み具端                        ８間隙
【図１】
2012006654.tif 000003
【図２】
2012006654.tif 000004
【図３】
2012006654.tif 000005
(57)【要約】      （修正有）【課題】あたたかい食品を包装しても、包装内部が蒸れたり、水滴が溜まったりせず、又グリルで焼き物の敷物として使用した時も、水分や油分が敷物に溜まりにくい食品包装用のラップやアルミニウム箔を提供する。【解決手段】食品包装用のラップ１や、アルミニウム箔に通気孔の穴２を開けることで、温かい食品物を包装しても、通気孔から湿気が放出されることで、包装内側に水滴が溜まることが少なくなる、又アルミニウム箔を焼き物の敷物として使用した時も、食品から出る水分や油分が敷物に溜まらず、通気孔の穴から下に落ちることで、アルミニウム箔に水分や油分が溜まる量が減少される敷物として使用することができる。【選択図】図１
2012006653.tif 000002
【特許請求の範囲】
【請求項１】
食品包装用のラップで温かい食品を包装した時、時間が経過すると包装内部が蒸れて、蒸気になり、ラップ内側に水滴が発生する為、内部が蒸れて水滴となり、ラップ内部に残らないよう、ラップに通気孔として穴を開けることで、包装内側と包装外側が通気できるようになり、包装内側に水滴が残りにくくなるようになった食品包装用ラップ。
又、アルミニウム箔においても食品包装した時、包装内部の蒸れを防いで、水滴などが留まらないようアルミニウム箔にも通気孔の穴を開けて使用することや焼き物の敷物として使用した時、食品物から出る水分や油分をグリル下に落とす為等の通気孔として、アルミニウム箔に穴を開ける事で水分や油分が下に落ち、水滴や油分が留まらないようになった食品用のアルミニウム箔。
【発明の詳細な説明】
【技術分野】
【０００１】この発明は、今までは食品包装用のラップを保存物など包装する時に使用していたが、温かい保存物を包装すると、長い間に包装内部が蒸れてラップ内側に水滴が発生していたので、長時間包装使用しても、包装内部が蒸れたりして、水滴がラップ内側に発生しないようにラップに通気孔の穴を開けた食品包装用ラップ。
又、食品用に使用するアルミニウム箔も焼き物などで使用した時、使用中に、食品物から発生する、油分や水分などが留まらないように、又蒸発するようにラップと同様のアルミニウム箔に通気用の穴を設けたアルミニウム箔。
【背景技術】
【０００２】現在、食品包装用のラップを使用する時で、温かい食品を保存した時、包装内部が食品から発生する熱により蒸れて水滴となり、ラップの内側に残る為、温かい食品を保存してもラップの内側に水滴が残らない食品包装用のラップが望まれていた。
又、食品の焼き物などで使用するアルミニウム箔なども、焼き物中に底などに油分や水分が溜まる為、焼き物などで使用する時、油分や水分が内側に溜まらないアルミニウム箔が望まれていた。
【発明の概要】
【発明が解決しようとする課題】
【０００３】食品包装用で使用するラップは、温かい食料品を保存した時、時間が経つと、包装したラップの内側に水滴が溜まるので、ラップに通気孔の穴を開けることで時間が経ってもラップの内側に水滴が留まらないようにと考えられものである。
又、アルミニウム箔も食品の焼き物などで使用した時、油分や水分が留まるので、アルミニウム箔にも通気の穴を設けることで油分や水分が留まらないようにと考えられたものである。
【課題を解決する為の手段】
【０００４】食品包装用のラップに通気孔の穴を開けた食品包装用ラップと、又、食品の包装や焼き物の敷物として使用するアルミニウム箔に通気孔として又、水分や油分が包装外に放出したり、トレーに落ちるよう穴を開け、水滴や水分、油分などが内側に留まらないようにと考えられた構造のラップとアルミニウム箔である。
【発明の効果】
【０００５】食品包装用のラップやアルミニウム箔などに通気孔としての穴を開けることで、使用時に、内部に発生し溜まる水滴や水分、油分などが留まらない食品包装用品として提供できる。
【図面の簡単な説明】
【０００６】
【図１】  ラップに通気孔として、穴の開いた斜視図
【図２】  アルミニウム箔に通気孔。又、油分や水分落として、穴の開いた斜視図
【発明を実施する為の形態】
【０００７】以上、本願発明の実施の形態について説明する。
食品包装用のラップで、温かい食品物を包装し、使用した時、ラップの包装内が蒸れて、ラップ内部に水滴などが溜まるので、温かい熱気が外へ放出できるように通気孔として、ラップに穴を開けて、熱気による水滴などがラップ内側に留まらないようなラップとして使用することができる。又、アルミニウム箔についても、食品の包装や焼き物の敷物として使用した時、包装後には内部に熱の為に熱気がこもらないように、又グリルでの使用時、食品物から熱により、発生する水分や油分が敷物として使用しているアルミニウム箔に残らないように通気孔として、アルミニウム箔に穴を開け使用することが出きるものである。
【符号の説明】
【０００８】  ▲１▼ラップ
▲２▼通気孔の穴
▲３▼ラップ巻取用の芯
▲４▼アルミニウム箔
▲５▼アルミニウム箔巻取用の芯
【図１】
2012006653.tif 000003
【図２】
2012006653.tif 000004
(57)【要約】【課題】  この発明は化学農薬を使用せず生物資材だけで樹木の根頭癌腫やモンパ病等の根元基部の病気を治療する方法である。  樹木の根頭癌腫やモンパ病等の根元基部の病気はその治療が困難であり、ことに根頭癌腫については治療方法は全く無い。  また、最近は熱湯注入方法が開発されているが高価な設備機器が必要であり、水道光熱費もかかり労力作業時間も多大であり長期の効果は無いので普及するには疑問が多い。【解決手段】  発明者は身近にある嫌気性有用微生物即ち乳酸菌、酵母菌その他有用微生物による醗酵液や醗酵資材（発明者はこれをアグリビネガーと称する）を根元に埋め、その上にビニールシート、ポリエチレンフィルム等の空気遮断資材を敷き土で押さえる事により病気が完治する事を発明した。有用微生物は嫌気性で酸素の少ない所で醗酵し動植物の機能に寄与する、モンパ病菌や根頭癌腫菌は好気性で酸素が無ければ活動出来ない。空気遮断資材一枚により酸素の供給を制限する事で良い微生物を働かせ悪い菌を不活性化させる事ができる。その事により病気が完治する。また、アグリビネガーを塗布，吹付け、浸漬を施した空気遮断資材を使用して樹木を植え付ける事により根頭癌腫やモンパ病等の感染を予防できる。【特許請求の範囲】
【請求項１】
アグリビネガーで罹病処理した上部を空気遮断資材で覆い嫌気性有用微生物の繁殖活動を促進し。好気性病原菌の空気中の酸素補給を断ち切る方法。
【請求項２】
他の薬品等で罹病処理した上部を空気遮断資材で覆い好気性病原菌の空気中の酸素補給を断ち切る方法。
【請求項３】
空気遮断資材にアグリビネガーを塗布、吹付け、浸漬した資材。
【請求項４】
アグリビネガーを塗布、吹付け、浸漬した物を張り合わせた空気遮断資材。
【請求項５】
請求項４及び請求項５の資材を使用して樹木を栽埴すること。
【発明の詳細な説明】
【技術分野】
【背景技術】
【０００１】果樹や庭木の樹木の根頭癌腫やモンパ病等の根元基部の病気はその治療が困難であり、ことに根頭癌腫については治療方法は全く無い。
庭木や果樹等の樹木の白モンパ病や紫モンパ病の治療に化学農薬による方法があるが、使用方法の煩雑さや完全治療が出来ない等のため普及は困難視されている。
また、最近は温湯注入方法が開発されているが高価な設備機器が必要であり、水道光熱費もかかり作業労力も多大であり長期の効果は無いので普及するには疑問が多い。【０００２】
【０００３】
【発明の概要】
【０００４】発明者は以前よりアグリビネガー≪果実の選外果を乳酸菌や酵母菌等の有用微生物（ＥＭ）により醗酵させ乳酸や酢酸等の有機酸≫を作り農作物に利用して来た。
このアグリビネガーの使用方法により樹木の根頭癌腫やモンパ病等が治癒する可能性が在る事に着目した。
【発明が解決しようとする課題】現在農産物の無農薬化低農薬化が進んでいる中でモンパ病、根頭癌腫等樹木の病気も無化学農薬で治療するのが妥当で、安価で短時間に処理する必要がある。
【課題を解決するための手段】根頭癌腫やモンパ病等に罹病した樹木の根元を堀りアグリビネガーを投入し周囲の土と混ぜながら穴を埋める。その上にビニールシート、ポリエチレンフィルム等空気を遮断する資材で覆う、その上を土で押さえておく。
【発明の効果】この発明の効果を箇条書きに列記する。
１．根頭癌腫やモンパ病等を化学農薬を使用しないで根治できる。
２．治療処理が低費用、低労力、低時間でできる。
３．上病に罹病し改植する場合従来は罹病した前作の病根を全て取り除き。クロールピクリン等で土壌消毒した後でないと植え付ける事が出来なかったが、その作業が必要なく、アグリビネガーを塗布，吹付け、浸漬等した空気遮断資材を使用すれば直ぐ植え付ける事ができる。
４．治療処理した樹木は短期間で回復する。
５．一度処理すれば長期間発病しない。